(57)【特許請求の範囲】
【請求項１】
先端部がフロントから突出するように錠箱に設けられた反転ラッチと、前記錠箱に軸支された反転ラッチ規制部材と、該反転ラッチ規制部材に連係或は係合すると共に、前記錠箱内に突入する操作部材の作動片の位置変位により所定量回転するように前記錠箱に軸支された駆動部材と、この駆動部材の駆動力により前記反転ラッチ規制部材の規制を解除した後、前記駆動部材のさらなる回動により水平方向へ移動して扉枠側の当接部に圧接する圧接力が扉を開く方向に作用する反力となる押圧部材を有する内外気圧差解消装置とを備えたラッチ錠に於いて、
前記駆動部材は、前記錠箱に軸支された駆動片と、該駆動片と共働するように前記錠箱に基端部が軸支された共働レバーとから成り、また前記押圧部材は、所定方向に付勢する付勢手段の付勢力に抗してスライドする摺動制御体と、この摺動制御体の先端部にその内端部が連係手段を介して連結されていると共に、垂直軸を介して軸支されかつその先端部側に前記フロントから常に突出し、かつ前記扉枠側の当接部にテコ式の原理で圧接する係合先端部を有するスイング式押圧体とから成るラッチ錠。
【請求項２】
請求項１に於いて、反転ラッチ規制部材は、上方枢軸に軸支された上方の反転ラッチ規制片と、下方枢軸に軸支されていると共に、前記上方の反転ラッチ規制片に連係或は係合する下方の反転ラッチ規制片とから成り、これら上方又は下方の反転ラッチ規制片のいずれか一方が駆動片に連係していることを特徴とするラッチ錠。
【請求項３】
請求項１に於いて、駆動片に連係する反転ラッチ規制部材が一つであり、該反転ラッチ規制部材と作動片の間に揺動受け片が介在していることを特徴とするラッチ錠。
【請求項４】
先端部がフロントから突出するように錠箱に設けられた反転ラッチと、前記錠箱に軸支された反転ラッチ規制部材と、該反転ラッチ規制部材に連係或は係合すると共に、前記錠箱内に突入する操作部材の作動片の位置変位により所定量回転するように前記錠箱に軸支された駆動部材と、この駆動部材の駆動力により前記反転ラッチ規制部材の規制を解除した後、前記駆動部材のさらなる回動により水平方向へ移動して扉枠側の当接部に圧接する圧接力が扉を開く方向に作用する反力となる押圧部材を有する内外気圧差解消装置とを備えたラッチ錠に於いて、
前記駆動部材は、前記錠箱に軸支された駆動片と、該駆動片と共働するように前記錠箱に基端部が軸支された共働レバーとから成り、また前記押圧部材は、所定方向に付勢する付勢手段の付勢力に抗してスライドする摺動制御体と、この摺動制御体の押圧先端部にその内端部が被係合部を介して連係されていると共に、垂直軸を介して軸支されかつその先端部側に前記フロントから常に突出し、かつ前記扉枠側の当接部にテコ式の原理で圧接する係合先端部を有するスイング式押圧体とから成るラッチ錠。
【請求項５】
請求項４に於いて、スイング式押圧体は、復帰バネにより付勢され初期位置へ戻ることを特徴とするラッチ錠。
【発明の詳細な説明】
【技術分野】
【０００１】
本発明は、内外気圧差解消装置を備えたラッチ錠に関する。
【背景技術】
【０００２】
特許文献１のハンドル装置は、扉１の開放端側に設けられるラッチ錠９と、扉内外の扉面に縦向き又は横向きにハンドルを取り付けるための座１２，１３と、この座のそれぞれに押し引き可能に保持されるハンドル１１ａ，１１と、ハンドルを押し引きの中間位置に保持するバネ１４，１４と、中間位置からのハンドルの押し操作ならびに引き操作によって、縦向きハンドルが取り付けられたときには縦向きハンドル用の操作部材２７を作動させ、横向きハンドルが取り付けられたときには横向きハンドル用の操作部材２８を作動させて、ラッチ錠９のラッチボルト１６の後退を許容させる作動機構１５，１５を設けている（符号は特許文献１に記載のもの）。
【０００３】
この特許文献１のハンドル１１ａ，１１は、いわゆるプッシュ・プル式の操作部材であり、該操作部材の基端部には、錠箱内に突出する内外の作動片４５ａ、４５ｂが設けられている。これら内外の作動片４５ａ、４５ｂのいずれかが錠箱の上下方向（図３参照）又は左右方向（図１３参照）に移動すると、上下一対のラッチボルト規制部材（ロッキングピース）２２、２２がラッチボルト１６の規制を解く方向へ回転する。
【０００４】
一方、特許文献２は、出願人が特許文献１に記載のプッシュ・プル式操作部材を備えたハンドル装置等に、内外気圧差解消装置を、合理的な構成（部品点数を少なくすること）を用いることを目的として貴庁に提案したものである。
【０００５】
すなわち、特許文献２の明細書本文及び図面（例えば図１、図６）には、「係合先端部がフロントから突出するように錠箱２５に設けられた反転ラッチ３３と、前記錠箱に軸支された反転ラッチ規制部材６１と、該反転ラッチ規制部材に連係或は係合すると共に、前記錠箱内に突入するプッシュ・プル式操作部材１１の作動片２３の位置変位により所定量回転するように前記錠箱に軸支された駆動部材（カム板）３１と、この駆動部材の駆動力により反転ラッチ規制部材の規制を解除した後、前記駆動部材のさらなる駆動力により付勢バネ７１のバネ力に抗して水平方向へ移動して扉枠側の当接部に圧接する圧接力の一部が扉を開く方向に作用する反力となる押圧部材（突出杆）３７を有する内外気圧差解消装置とを備えラッチ錠（符号は特許文献２に記載のもの）」を記載している。
【０００６】
しかしながら、特許文献２の内外気圧差解消装置は、部品点数が少ないという利点を有するものの、その押圧部材はラッチ形態の一つの突出杆３７であり、該一つの突出杆３７が反転ラッチの突出方向と同一方向へ直進して、いわば「扉をこじ開けるようにして」、扉自体に開放方向の反力の一部（分力）を与えようとするものである。付言すると、扉自体に開放方向の反力の全てを与えることができないという問題点があった。
【０００７】
また、特許文献２の駆動部材は、一つのカム板３１の半径外方向ら延在する他方の腕部４３でもって突出杆３７を直接押圧するので、駆動部材の部品点数も少ないという利点を有するものの、例えばカム板３１を非常に大きな形状にする必要があると共に、その回転量も非常に大きなものにする必要があった（例えば図１と図６を対比参照）。したがって、プッシュ・プル式操作部材１１の扉の壁面に対する回転角度も大きなものとなるという問題点があった。
【０００８】
なお、特許文献２乃至特許文献５には、反転ラッチ、反転ラッチを仮施錠する反転ラッチ規制部材（ロッキングピース）が詳細に記載されている。これらの事項は、当業者によって自明事項である。
【先行技術文献】
【特許文献】
【０００９】
【特許文献１】特開平１１−１４８２５９号公報
【特許文献２】特開２０１１−９９２１９公報
【特許文献３】特開平８−１００５５９号公報
【特許文献４】特開平１１−１４１２０７号公報
【特許文献５】特開２００１−２２５５１０号公報
【発明の概要】
【発明が解決しようとする課題】
【００１０】
本願発明の所期の目的は、出願人が提案した特許文献２に記載のような反転ラッチ、プッシュ・プル式等の操作部材、駆動部材、内外気圧差解消装置を備えたラッチ錠に於いて、例えば該特許文献２に記載の問題点を「テコ式の原理」及び「共働レバー」を用いて解消することである。好ましい第２の目的は、反転ラッチ規制部材を確実に作動させることができることである。
【課題を解決するための手段】
【００１１】
本願発明のラッチ錠は、先端部がフロントから突出するように錠箱に設けられた反転ラッチと、前記錠箱に軸支された反転ラッチ規制部材と、該反転ラッチ規制部材に連係或は係合すると共に、前記錠箱内に突入する操作部材の作動片の位置変位により所定量回転するように前記錠箱に軸支された駆動部材と、この駆動部材の駆動力により前記反転ラッチ規制部材の規制を解除した後、前記駆動部材のさらなる回動により水平方向へ移動して扉枠側の当接部に圧接する圧接力が扉を開く方向に作用する反力となる押圧部材を有する内外気圧差解消装置とを備えたラッチ錠に於いて、前記駆動部材は、前記錠箱に軸支された駆動片と、該駆動片と共働するように前記錠箱に基端部が軸支された共働レバーとから成り、また前記押圧部材は、所定方向に付勢する付勢手段の付勢力に抗してスライドする摺動制御体と、この摺動制御体の先端部にその内端部が連係手段を介して連結されていると共に、垂直軸を介して軸支されかつその先端部側に前記フロントから常に突出する係合先端部を有するスイング式押圧体とから成ることを特徴とする。
【００１２】
また本願発明のラッチ錠は、先端部がフロントから突出するように錠箱に設けられた反転ラッチと、前記錠箱に軸支された反転ラッチ規制部材と、該反転ラッチ規制部材に連係或は係合すると共に、前記錠箱内に突入する操作部材の作動片の位置変位により所定量回転するように前記錠箱に軸支された駆動部材と、この駆動部材の駆動力により前記反転ラッチ規制部材の規制を解除した後、前記駆動部材のさらなる回動により水平方向へ移動して扉枠側の当接部に圧接する圧接力が扉を開く方向に作用する反力となる押圧部材を有する内外気圧差解消装置とを備えたラッチ錠に於いて、前記駆動部材は、前記錠箱に軸支された駆動片と、該駆動片と共働するように前記錠箱に基端部が軸支された共働レバーとから成り、また前記押圧部材は、所定方向に付勢する付勢手段の付勢力に抗してスライドする摺動制御体と、この摺動制御体の押圧先端部にその内端部が被係合部を介して連係されていると共に、垂直軸を介して軸支されかつその先端部側に前記フロントから常に突出する係合先端部を有するスイング式押圧体とから成ることを特徴とする。
【発明の効果】
【００１３】
（ａ）例えば特許文献２とは異なる解決手段（「テコ式の原理」及び「共働レバー」を採用すること）により、扉の扉開閉端と扉枠との間に隙間を生じさせ、室内外の気圧差を解消させることができる。すなわち、本発明では、駆動部材は、錠箱に軸支された駆動片と、該駆動片と共働するように前記錠箱に基端部が軸支された共働レバーとから成るので、内外の操作部材側の作動片の位置変位量を少なくすることができる、力学上、駆動片に大きな回転モーメントを掛けなくても、共働レバー及び押圧部材（摺動制御体、スイング式押圧体）をスムースに作動させることができる、駆動片を小さくすることができる、共働レバーを利用して摺動制御体の移動量を稼ぐことができる等の効果を得ることができる。
【００１４】
（ｂ）また、押圧部材は、所定方向に付勢する付勢手段の付勢力に抗してスライドする摺動制御体と、この摺動制御体の押圧先端部にその内端部が被係合部を介して連係（係合の実施形態も含む）されていると共に、垂直軸を介して軸支され、かつ扉枠側の当接部にテコ式の原理で圧接する係合先端部を有するスイング式押圧体とから成るので、扉自体に開放方向の反力の全てを与えることができる。したがって、例えばプッシュ・プル式、プル・プル式等の操作部材を用いても、扉の開放が容易となる。
【００１５】
（ｃ）請求項２及び請求項３に記載の発明は、反転ラッチ規制部材を確実に作動させることができる。
【図面の簡単な説明】
【００１６】
図１乃至第１３は本発明の第１実施形態を示す各説明図。図１４乃至第１６は本発明の第２実施形態を示す各説明図、図１７乃至第１９は本発明の第３実施形態を示す各説明図、図２０至第２３は本発明の第４実施形態を示す各説明図である。
【図１】扉枠側の部材と扉側の部材を示す環境説明図（操作部材の一部は省略）。
【図２】扉側の部材の平面視からの概略説明図（特に、台座とプッシュ・プル式操作部材と作動片を図示）。
【図３】正面視からの概略断面説明図（初期状態の説明図）。
【図４】要部（扉枠側の当接部、扉側の押圧部材、共働レバー）の概略断面説明図。
【図５】図４における扉側の要部（摺動制御体、スイング式押圧体）を示す説明図。
【図６】要部の分解斜視図。
【図７】図６の要部のＡ−Ａ線断面図とＢ−Ｂ線断面図。
【図８】図１の扉枠側の当接部の概略説明図。
【図９】当接部の概略断面説明図。
【図１０】作動開始時の説明図（一方の作動片が駆動片を押圧することにより、反転ラッチに対する規制を解除）。
【図１１】作動完了時の説明図（摺動制御体が所定位置までスライド）。
【図１２】作動開始時の説明図（他方の作動片が一方の反転ラッチ規制片を押圧することにより、反転ラッチに対する規制を解除）。
【図１３】平面視から主要部の流れを示す説明図。
【図１４】第２実施形態の要部の位置関係を示す平面視からの説明図。
【図１５】平面視からの要部の作用を示す説明図。
【図１６】平面視からの要部の流れを示す説明図（作動開始時の説明図）。
【図１７】正面視からの概略断面説明図（初期状態の説明図）。
【図１８】作動完了時の説明図（一方の作動片が駆動片を押圧することにより、反転ラッチに対する規制を解除後の作動完了時）。
【図１９】作動完了時の説明図（他方の作動片が反転ラッチ規制片を押圧することにより、反転ラッチに対する規制を解除後の作動完了時）。
【図２０】図３と同様に、正面視からの概略断面説明図（初期状態の説明図）。
【図２１】図１８と同様に、作動完了時の説明図（一方の作動片が駆動片を押圧することにより、反転ラッチに対する規制を解除後の作動完了時）。
【図２２】図１９と同様に、作動完了時の説明図（他方の作動片が反転ラッチ規制片を押圧することにより、反転ラッチに対する規制を解除後の作動完了時）。
【図２３】図１３と同様に、平面視から主要部の流れを示す説明図。
【発明を実施するための最良の形態】
【００１７】
（１）環境部材と創作ポイント
まず、図１と図２を参照にして環境部材を説明する。図１は扉枠側の部材と扉側の部材を示す環境説明図で、特に、扉７の外壁面７ｃと、該外壁面に固定された外側台座１２、該台座内に内端部が入り込んだ支持片１５の一部と、錠箱８のフロント８ａが見える斜視図である。
【００１８】
この図１に於いて、外側の支持片１５の外端部に固定される外側のプッシュ・プル式操作部材は省略している。また図２は、扉７側の部材の平面視からの概略説明図で、特に、内外の台座１３、１２とプッシュ・内外のプル式操作部材１１、１０と、内外の作動片１７、１６を示す。
【００１９】
しかして、図１で示すように、１は玄関扉用の扉枠で、この扉枠１の縦枠には錠受け２が縦方向に固定されている。錠受け２には、ラッチ受け穴４、スイング式押圧体用の切欠部分５がそれぞれ形成されている。また扉枠１の縦枠には、戸当り６、前記錠受け２を取付けるための不番の切欠状凹所がそれぞれ形成されている。本発明の本質的事項ではないが、実施形態如何によって、前記戸当り６には、戸当り６と扉７との隙間をシールするパッキン（ガスケット）が適宜に設けられている。
【００２０】
したがって、扉７が室外の方向に開動する開閉体であれば、室内側が負圧となることで、扉７の自由端部７ａの内側（図１では向こう側の内壁面）は、パッキンを介して又は介さないで戸当り６に押付けられる。
【００２１】
一方、扉７の吊元と反対側の自由端部７ａには、ラッチ錠Ｘの錠箱８が内装されている。ここで「ラッチ錠」とは、ラッチボルトや反転ラッチと称されるラッチ部材を有する錠前のことで、デッドボルトのみを有する本締り錠を除く。
したがって、ラッチボルトのみを有する空錠、ラッチボルト又は反転ラッチのいずれかを有すると共に、デッドボルトを持つ錠前（例えば玄関錠）は、ここでのラッチ錠Ｘに含まれる。
【００２２】
本実施形態では、把手の一例として、図２で示すようにプッシュ・プル方式の内外の操作部材１１、１０が採用され、またラッチ部材の適例として、図３で示すように反転ラッチ４１が採用されている。
【００２３】
また、操作部材の作動片１６、１７の位置変位により作動する駆動部材６１の適例として、駆動片６２と、該駆動片に連動する共働レバー６３が採用され、さらに、駆動部材６１の駆動力により作動する押圧部材の適例として、摺動制御体２４と、スイング式押圧体２７が採用されている（創作ポイント）。
【００２４】
さて、図２で示すように、このラッチ錠Ｘの錠箱８の外壁面側と内壁面側、つまり扉７を基準として、その室外面及び室内面に、操作部材としての外側レバーハンドル１０と内側レバーハンドル１１がそれぞれ配設されている。
【００２５】
各レバーハンドル１０、１１は、室外方向（Ｏ）に揺動して開放となる扉７の表裏面に取り付けられた台座１２，１３に保持された状態で取付けられる。各台座１２，１３に対するレバーハンドル１０、１１は、室内側（Ｉ）では内側レバーハンドル（内側操作部材）１１が矢印Ａで示すように内扉面７ｂに近接する方向に移動自在であり、室外側（Ｏ）では外側レバーハンドル（外側操作部材）１０が扉面７ｃより離れる方向に移動自在となっている。
【００２６】
また各台座１２，１３内には、前記レバーハンドル１０、１１を、移動方向である扉面７ｂ，７ｃに対して近接或いは離脱の移動方向に回転自在に支持する垂直ハンドル軸１４、１４がそれぞれ設けられている。
【００２７】
さらに、垂直板状の外側レバーハンドル１０並びに垂直板状の内側レバーハンドル１１の各内壁面には、平面視人指し指状に見える支持片１５、１５の外端部がそれぞれ固定され、各レバーハンドル１０、１１はそれぞれの支持片１５、１５を介して垂直ハンドル軸１４、１４に支持される。
【００２８】
しかして、錠箱８に形成した不番の窓を介して該錠箱８内に突入する外側レバーハンドル１０の一方の作動片１６並びに内側レバーハンドル１１の他方の作動片１７は、図３で示すように上下方向に対設し、本実施形態では、互いに逆となる水平方向に位置変位可能である。また内外の各垂直ハンドル軸１４、１４には、内外のバネ１８、１８がそれぞれ巻装され、各バネの作用端は、各支持片１５、１５のガイドピン１９、１９に係止されている。各レバーハンドル１０、１１用の前記バネ１８、１８は、各レバーハンドルを操作前の位置に付勢する。
【００２９】
なお、押す側の内側レバーハンドル１１は、その基準位置が扉面７ｂより離れる方向に傾斜しており、操作時に扉面７ｂと平行となる位置まで揺動する。また、引く側の外側レバーハンドル１０は、その基準位置が扉面７ｃと平行となり、操作時に扉面７ｃより離れる方向Ｂに傾斜する位置まで揺動する。また、各レバーハンドル１０、１１の形態は、本実施形態では板状であるが、もちろん、普通一般に見受けられるＬ字形状や弧状であっても良い。例えば操作部材の操作態様を考慮して、図示しない棒状のレバーハンドルを扉の壁面に垂直方向に配設しても良い。
【００３０】
さらに、図１を参照にすると、錠箱８のフロント８ａからは、後述する反転ラッチ４１の先端部４１ａが見え、該反転ラッチの先端部の下方には、後述するスイング式押圧体２７の係合先端部２７ｂが見える。一方、開扉時に前記スイング式押圧体２７の係合先端部２７ｂが圧接する当接部２１を有す扉枠１の縦枠の前面には、前述した錠受け２に直交するように縦長状補強片２２が固定される。この補強片２２は縦枠に不番の切欠凹所を形成するので、それを補強するためのものである。補強片２２は発明の本質的事項ではない。
【００３１】
上記構成に於いて、扉７が室外の方向に開動する開閉体であれば、室内側が負圧となることで、扉７の開閉端部７ａの内側（図１では向こう側の内壁面）は、戸当り６に押付けられる。したがって、扉７を開け難いという問題点があり、それを解決するためにラッチ錠Ｘは、内外気圧差解消装置を備えている。
【００３２】
（２）主な構成部材
ラッチ錠Ｘの主な構成部材は、扉枠１側の当接部２１と、プッシュ・プル式、プル・プル式等の操作部材１０、１１と、錠箱８内に突入する操作部材の作動片１６，１７と、反転ラッチ４１と、反転ラッチ規制部材５１と、開扉時に該反転ラッチ規制部材の規制を解くと共に押圧部材２４、２７を作動させる駆動部材６１と、前記当接部２１に圧接する圧接力が扉７を開く方向に作用する反力となる前記押圧部材を有する内外気圧差解消装置Ｙである。したがって、以下、前述した扉枠側の当接部２１と、操作部材１０、１１と、錠箱内に突入する操作部材の作動片１６，１７を除き、ラッチ錠Ｘの主な構成部材を詳細に説明する。
【００３３】
（３）内外気圧差解消装置Ｙ
まず、図３乃至図７を参照にして内外気圧差解消装置Ｙを説明する。これらの図に於いて、２３は押圧部材を初期位置へと戻すための付勢手段、２４は押圧部材を構成する摺動制御体、２７は同じく押圧部材を構成するスイング式押圧体、３１は前記摺動制御体２４とスイング式押圧体２７を連結する連結或は連係手段である。
【００３４】
本実施形態の内外気圧差解消装置Ｙは、所定方向（例えば錠箱８の後壁８ｂ側）に付勢する付勢手段２３の付勢力に抗してフロント８ａ側にスライドする摺動制御体２４と、この摺動制御体の先端部にその内端部が連係手段３１を介して連結されていると共に、垂直軸２６を介して軸支されかつその先端部側に前記フロント８ａから常に突出する係合先端部２７ｂを有するスイング式押圧体２７とから成る。
【００３５】
そこで、まず、例えば図６の要部の分解斜視図を参照にして、押圧部材の摺動制御体２４等を説明する。摺動制御体２４は、反転ラッチと同一方向に進退するように錠箱８内の下方空間に配設されている。本実施例の摺動制御体２４は、全体として「ピストル形態」の印象を受けるブロック体であるが、その左右の垂直側面の中央部には、錠箱８側の被案内部分（例えば水平溝、水平切欠など）と係合する案内部分（例えば水平突起、複数の突起、突片等）２４ａが設けられている。これにより、摺動制御体２４は安定した状態で進退動する。また、摺動制御体２４は、その上壁は、例えば水平面となっているが、下壁は後壁に至る方向に適宜段差状に切欠され、その後端部に相当する切欠面には付勢手段２３の後端部を支持するバネ端支持突起２４ｂが設けられている。さらに、その前壁の中央部には連結突片２４ｃが設けられ、該連結突片２４ｃには、連結手段（連結軸）３１が貫通する非真円の連結孔３２が形成されている。
【００３６】
次に、スイング式押圧体２７を説明する。スイング式押圧体２７は、摺動制御体２４の進退動に追動あるいは共働して水平方向へ所定量回転することができるように垂直軸２６及び上下の軸受け部材３３、３３を介して錠箱８内のフロント８ａ付近に軸支されている（図３参照）。
【００３７】
このスイング式押圧体２７も前記摺動制御体２４と同様にブロック体であるが、幅広後端部（内端部）２７ａは摺動制御体２４の連結突片２４ｃを挟むことができる連結部分２７ａと成っていると共に、錠箱の扉の内壁面側の角部の上下壁には、垂直軸（本実施例では上下の垂直突起）２６、２６を有している。
【００３８】
すなわち、本実施例では、前述したようにスイング式押圧体２７の幅広後端部２７ａは、摺動制御体２４の先端部に連結軸３１を介して連結されることから、前記内端部に扉７を開放する室外側乃至摺動制御体２４側を指向する所要幅の切欠凹所３５を形成し、この切欠凹所３５に摺動制御体２４の連結突片２４ｃが嵌入した上で、前記内端部に形成した上下の連結孔３６，３６と前記連結突片２４ｃの連結孔３２に連結軸３１を差し込んで、両者２４、２７を一体的に連結している。連結突片２４ｃの連結孔３２は非真円であることから、該非真円の連結孔３２に連結軸３１に遊嵌合している。
【００３９】
ここで、図６の斜視図及び図７の横断面を参照にすると、幅広後端部２７ａに所要幅の切欠凹所３５を形成することによって、該切欠凹所３５は、連結孔３６を有する上下の水平支持面と、この水平支持面と交差する複数の垂直面３８ａ、３８ｂを有し、前記垂直面３８ａ、３８ｂは、一応、人差し指状の先端部２７ｂ側の垂直面３８ａと、垂直軸２６側の垂直面３８ｂとに区分けすることができる。
【００４０】
さらに、スイング式押圧体２７は、錠箱８内に垂直軸２６、２６を介して軸支されると、操作部材を操作しない常態では、例えば図４で示すように、角部を形成する後側の縁辺ａと、これに直交する扉枠側の当接部と対向する側の縁辺ｂは、錠箱８の幅広側壁の内壁面に対して略均等角度（例えば４５度づつ）にそれぞれ交差している。また前記後側の縁辺ａと交差する室外側の縁辺ｃは弧状乃至錠箱８の幅広側壁の内壁面に当接する垂直線と成り、さらに、前記扉枠側の当接部と対向する側の縁辺ｂと前記室外側の縁辺ｃは、先端部付近に至るにしたがって次第に幅が狭くなっている。そして、前述した人差し指状の係合先端部２７ｂは、錠箱８のフロント８ａから常に食み出している。
【００４１】
なお、前述した下の軸受け部材３３は、スイング式押圧体２７用の軸受け機能の他、連結突片２４ｃと対向する不番のバネ端支持部を有し、付勢手段２３の先端部を支持する機能も有する。また、特に図示しないが、実施形態では摺動制御体２４の先端部の連結突片２４ｃは本体部分に一体成形されているが、本体部分とは別個に成形し、本体部分の先端部に一体的に組み合わせることもできる。さらに、摺動制御体２４の形態も適宜に設計変更可能な事項である。
【００４２】
（４）反転ラッチ４１等
次に、反転ラッチ４１等を説明する。反転ラッチ４１は、その先端部４１ａがフロント８ａから突出するように錠箱８に設けられている。反転ラッチ４１等の構成は自明事項なので、図３を参照にして簡単に説明する。図に於いて、４１は反転ラッチ、４２は上下に切欠部分を有する反転ラッチ用支持枠、４３は反転ラッチ用付勢バネである。周知のように、反転ラッチ４１は、付勢バネ４３のバネ力に抗して後退動するだけでなく、上下方向のラッチ軸４１ｂ、４１ｂを支点にして反転するように所要角度回転もする。それ故に、当業者に「反転ラッチ」と称され、非回転状態で進退動する「いわゆるラッチボルト」と区別されている。
【００４３】
（５）反転ラッチ規制部材５１等
次に、反転ラッチ規制部材５１を説明する。この反転ラッチ規制部材５１の基本的構成も自明事項なので、反転ラッチ４１等と同様に図３を参照にして簡単に説明する。反転ラッチ規制部材５１は、少なくとも一つの反転ラッチ規制片でも十分であるが、本実施形態では、上方に位置する一方の作動片１６が、図１０で示すように駆動部材６１を構成する駆動片６２の上方腕部を押圧し、一方、下方に位置する他方の作動片１７が、図１２で示すように反転ラッチ規制部材５１の一方の反転ラッチ規制片の連係腕部を押圧すると共に、一方の反転ラッチ規制片に互いの連係腕部を介して連係（係合も含む）する他方の反転ラッチ規制片の第２連結部分が、後述の駆動部材６１を構成する駆動片６２の中央部部分に突設された連結部分に連係（係合も含む）するので、連係機構を構成する２枚の反転ラッチ規制片を採用している。
【００４４】
すなわち、本実施形態の反転ラッチ規制部材５１は、上方枢軸５２に軸支された上方の反転ラッチ規制片５３と、下方枢軸５４に軸支されていると共に、前記上方の反転ラッチ規制片５３に連係或は係合する下方の反転ラッチ規制片５５とから成り、これら上方又は下方の反転ラッチ規制片のいずれか一方（実施形態では下方）が駆動片６２に連係している。なお、５６は前記下方枢軸５４又は上方枢軸５２のいずれかにその中央部が巻装された反転ラッチ規制部材５１用の戻しバネである。
【００４５】
（６）駆動部材
次に、駆動部材６１を説明する。この駆動部材６１の構成・効果に関しては、出願人が先に提案した特許文献２に記載の駆動部材（カム板３１）と一部同様である。すなわち、駆動部材は、反転ラッチ規制部材に連係或は係合すると共に、錠箱内に突入する、例えばプッシュ・プル式操作部材の作動片の位置変位により所定量回転するように前記錠箱に軸支され、駆動部材の駆動力により前記反転ラッチ規制部材の規制を解除した後、駆動部材のさらなる回動により押圧部材が水平方向へ移動する。そして、押圧部材の先端部を扉枠側の当接部に圧接し、該圧接力が扉を開く方向に作用する反力となる点は同様である。
【００４６】
しかしながら、実施形態の駆動部材６１は、特許文献２の駆動部材は単一のカム板であるのに対して、錠箱８の後壁８ｂ付近の略中央部（中央部寄りの部位も含む）の上方固定横軸５８に略中央部（中央部寄りの部位も含む）が軸支された縦長状の駆動片６２と、該駆動片と共働するように前記錠箱８に基端部（下端部）６３ａが下方固定軸５９に軸支された共働レバー６３とから成り、前記縦長状駆動片６２の中央部に形成された不番の突起状連係部分は、前述したように下方の反転ラッチ規制片５５の後方に延びる不番の連係部分に可動ピン６０を介して連係（係合）し、一方、前記共働レバー６３の指先状の押圧端部６３ｂは、所要の間隙を有して摺動制御体２４の後端面に対向している。なお、共働レバー６３の押圧端部６３ｂにはローラ６４が設けられている。
【００４７】
（７）作用
図１０乃至図１３を参照にして、主な作用を簡単に説明する。図１０は作動開始時の説明図で、一方の作動片１６が駆動片６２を押圧することにより、反転ラッチ４１に対する規制を解除した状態に説明図である。例えば図２で示す外側操作部材１０を矢印Ａ方向へ引くと、図１０で示す外側操作部材１０の作動片１６が矢印方向（後壁８ｂの方向）に位置変位して駆動片６２の上方腕部を押圧する。これにより駆動片６２は上方固定横軸５８を支点にして若干時計方向に回転する。そうすると、駆動片６２の下方腕部が不番の連係手段を介して共働レバー６３の基端部（下端部）６３ａ寄りの部位に連結されているので、共働レバー６３は下方固定横軸５９を支点にして反時計方向に回転する。その回転途中で、駆動片６２に連係する上下の反転ラッチ規制片５３、５５は、反転ラッチ４１に対する規制を解く。図１１は作動完了時の説明図、つまり、摺動制御体２４が共働レバー６３の押圧端部６３ｂに押されて所定位置までスライドした状態の説明図である。駆動部材５１の駆動力により前記反転ラッチ規制部材５１の規制が解錠されるが、該解錠後（解除と同時も含む）、現在進行形で前記駆動部材６１（６２、６３）のさらなる回動により、押圧部材（２４、２７）が水平方向へ移動して扉枠１側の当接部２１にテコの原理（蹴り出し力）で圧接し、該圧接力の全てが扉７を開く方向に作用する反力となる。なお、図１２も作動開始時の説明図であるが、この場合他方の作動片１７が一方の反転ラッチ規制片５３の連係腕部を押圧することにより、反転ラッチ４１に対する規制が解除される。図１３は平面視から主要部の流れを示す説明図である。
【００４８】
（８）主要部
第１実施形態のラッチ錠Ｘは、先端部がフロント８ａから突出するように錠箱８に設けられた反転ラッチ４１と、前記錠箱８に軸支された反転ラッチ規制部材５１と、該反転ラッチ規制部材５１に連係或は係合すると共に、前記錠箱８内に突入するプッシュ・プル式、プルプル式等の操作部材１０、１１の作動片１６、１７の位置変位により所定量回転するように前記錠箱８に軸支された駆動部材６１と、この駆動部材の駆動力により前記反転ラッチ規制部材５１の規制を解除した後、前記駆動部材６１のさらなる回動により水平方向へ移動して扉枠１側の当接部２１に圧接する圧接力が扉７を開く方向に作用する反力となる押圧部材を有する内外気圧差解消装置Ｙとを備え、前記駆動部材６１は、前記錠箱に軸支された駆動片６２と、該駆動片と共働するように前記錠箱８に基端部６３ａが軸支された共働レバー６３とから成り、また前記押圧部材は、所定方向に付勢する付勢手段２３の付勢力に抗してスライドする摺動制御体２４と、この摺動制御体の先端部にその内端部が連係手段３１を介して連結されていると共に、垂直軸２６を介して軸支されかつその先端部側に前記フロント８ａから常に突出する係合先端部２７ｂを有するスイング式押圧体２７とから成る。
【実施例】
【００４９】
図１４乃至図２３は、本発明の第２実施形態と第３実施形態と第４実施形態の各説明図である。特に図示しないが、この第２実施形態、第３実施形態等に用いた内外の操作手段もプッシュ・プル方式のレバーハンドルである。なお、この第２実施形態、第３実施形態等の説明に当って、第１実施形態と同一の部分には、同一又は同様の符号を付して重複する説明を割愛する。
【００５０】
まず、図１４乃至図１６に示す第２実施形態が第１実施形態と主に異なる事項は、摺動制御体２４Ａとスイング式押圧体２７Ａの組み合わせ構成である。第１実施形態では、摺動制御体２４の先端部に連結突片２４ｃが形成され、該連結突片２４ｃがスイング式押圧体２７の後端部に差し込まれた連結手段３１を介して一体的に連結されているが、この第２実施形態では、必ずしも「連結手段３１」を用いなくても良い旨を示している。
【００５１】
すなわち、第２実施形態では、摺動制御体２４Ａの先端部を「押圧先端部（係合先端部）２４ｃ」とし、一方、スイング式押圧体２７の後端部に形成した切欠凹所３５を「被係合部（押圧先端部に押される部位）」としている。なお、この第２実施形態では、望ましくは、スイング式押圧体２７Ａは垂直軸２６に巻装された復帰バネ２９により初期位置へ戻るように付勢されている。このように構成しても本発明の目的・効果を得ることができる。
【００５２】
次に、図１７乃至図１９に示す第３実施形態が第１実施形態と主に異なる事項は、（ａ）駆動片６２に連係する反転ラッチ規制部材５１が「一つ」である点、付言すると、第１実施形態の下方の反転ラッチ規制片５５のみを用いている点である。（ｂ）また、作動開始時乃至作動完了時、他方の作動片１７が下方の反転ラッチ規制片５５を直接押圧するではなく、作動片１７よりも上下方向に長い係合板部分５７ａを有する揺動受け片５７を介して間接的に押圧する点である。付言すると、前記揺動受け片５７は、その上端部が上方の作動片１６付近に設けられた固定軸５０に軸支され、一方、係合端部或は自由端部に相当する下端部に垂直方向（高さ方向）に長い係合板部分５７ａが設けられ、該長い係合板部分５７ａが下方の反転ラッチ規制片５５と他方の作動片１７の間に介在している点である。（ｃ）そして、第３実施形態は、反転ラッチ規制部材５１が一つであることから、反転ラッチ規制部材５１用の戻しバネ５６は、下方枢軸５４にその中央部が巻装されていると共に、両バネ端は反転ラッチ用支持枠４２と反転ラッチ規制部材５１にそれぞれ適宜に圧接している。
【００５３】
作用に関して、この第３実施形態の初期状態、作動開始時及び作動完了時は第１実施形態と全く同じなので、作動開始時の図面は省略し、図１７に初期状態、図１８に作動完了時（一方の作動片が駆動片を押圧することにより、反転ラッチに対する規制を解除後の作動完了時）、図１９に作動完了時の説明図（他方の作動片が間接的に反転ラッチ規制片を押圧することにより、反転ラッチに対する規制を解除後の作動完了時）をそれぞれ示し、重複する説明を割愛する。
【００５４】
最後、図２０乃至図２３に示す第４実施形態が第１実施形態と主に異なる事項は、次の通りである。
【００５５】
（ａ）第１実施形態は駆動部材６１の共働レバー６３が摺動制御体２４の後端面を押圧してスイング式押圧体２７を回転させる押し出し方式であるのに対して、第４実施形態では、駆動部材６１の共働レバー６３が摺動制御体２４の後端面から錠箱８の後壁８ｂ方向へ延在する水平腕２４ｄの後端に設けられた垂直係合受け部２４ｅの受面を押圧してスイング式押圧体２７を回転させる引っ張り方式である点。
【００５６】
（ｂ）前記引っ張り方式を実現するために、付勢手段２３の摺動制御体２４に対する付勢方向、駆動部材６１を構成する駆動片６２と共働レバー６３の回転態様、内外の作動片１６、１７の移動方向、反転ラッチ規制部材５１を構成する上方の反転ラッチ規制片５３と下方の反転ラッチ規制片５５の組み合わせ態様等を適宜に設計変更している点。
【００５７】
（ｃ）具体的には、図２１と図１１を対比すると、下方の作動片１７が駆動片６２を押圧し、これに対して、上方の作動片１６が図２２で示すように反転ラッチ規制部材５１の一方を押圧する点。付言すると、図２１及び図２２で示すように、下方の作動片１７が駆動片６２を押圧し又は上方の作動片１６が反転ラッチ規制部材５１の一方を押圧すると、駆動片６２が上方横軸５８を支点にして反時計方向に回転し、下方横軸５９に基端部が軸支されていると共に、不番の連係手段（長孔、係合ピンなど）を介して係合する共働レバー６３も同じ方向（反時計方向）に回転し、そのローラ６４を有する自由端部でもって共働レバー６３受け入れ用の切欠部分２５を有する摺動制御体２４の垂直係合受け部２４ｅの内面を押圧する点。
【００５８】
（ｄ）錠箱内に突入する一組の作動片１６、１７の動く方向が、第１実施形態のそれとは逆になっている点。
【００５９】
（ｅ）摺動制御体２４を所定方向に付勢する付勢手段２３が、摺動制御体２４のバネ受け部分２４ｄと箱体８の下方空間の略中央部に設けたバネ受け片２０の間に存在する点。付言すると、付勢手段２３は、摺動制御体２４及びスイング式押圧体２７を、箱体８のフロント８ａから常に突出方向へと付勢している点。
【００６０】
（ｆ）初期位置に於いて、スイング式押圧体２７の係合先端部２７ｂのフロント８ａから突出量が大きい点（図３と図２０を対比）。
【００６１】
（ｇ）さらに、図１３と図２３の作用を比較すると明らかなように、逆パターン方式（スイング式押圧体２７が回転しながら後退する）である点。すなわち、開扉時、操作部材の作動片（内端部）１６、１７から受ける力が間接的に摺動制御体２４の垂直係合受け部２４ｅの受面に当り、摺動制御体２４が付勢手段２３のバネ力に抗して箱体８の後壁８ｂ側に後退すると、該摺動制御体２４はスイング式押圧体２７を引っ張ることになり、その結果、スイング式押圧体２７は垂直軸２６を支点にして回転し、その係合先端部２７ｂが当接部２８に蹴り出しように衝突乃至押圧する。
【００６２】
このように、第４実施形態も第１実施形態と同様に、スイング式押圧体２７の係合先端部２７ｂの圧接力は、特許文献１のような「直進方向に対する分力」とは成らず、略全て扉７を開く方向に作用する反力と成るので、扉枠１側の当接部２８に対するスイング式押圧体の圧接力を十分に発揮することができる。
【産業上の利用可能性】
【００６３】
本発明は錠前及び建具の分野で利用される。
【符号の説明】
【００６４】
１…扉枠、２…錠受け、Ｘ…ラッチ錠、４…ラッチ受け穴、５…切欠部分、６…戸当り、７…扉、７ａ…自由端部、７ｂ…扉の内壁面、７ｃ…扉の外壁面、８…錠箱、８ａ…フロント、１０…外側操作部材、１１…内側操作部材、１２…外側の台座、１３…内側の台座、１４…垂直ハンドル軸、１６…外の作動片、１７…内の作動片、２１…扉枠側の当接部、Ｙ…内外気圧差解消装置、２３…押圧部材用付勢手段、２４、２４Ａ…摺動制御体、２４ｅ…垂直係合受け部、２７、２７Ａ…スイング式押圧体、２７ａ…係合先端部、２６…垂直軸、３１…連係手段（或は係合手段）、３５…切欠凹所、４１…反転ラッチ、４１ａ…反転ラッチの先端部、５１…反転ラッチ規制部材、５３…上方の反転ラッチ規制片、５５…下方の反転ラッチ規制片、５７…揺動受け片、５７ａ…長い係合板部分、６１…駆動部材、６２…駆動片、６３…共働レバー、６４…ローラ、５８…上方固定横軸、５９…下方固定横軸。
【図１】
0005942105.tif 000002
【図２】
0005942105.tif 000003
【図３】
0005942105.tif 000004
【図４】
0005942105.tif 000005
【図５】
0005942105.tif 000006
【図６】
0005942105.tif 000007
【図７】
0005942105.tif 000008
【図８】
0005942105.tif 000009
【図９】
0005942105.tif 000010
【図１０】
0005942105.tif 000011
【図１１】
0005942105.tif 000012
【図１２】
0005942105.tif 000013
【図１３】
0005942105.tif 000014
【図１４】
0005942105.tif 000015
【図１５】
0005942105.tif 000016
【図１６】
0005942105.tif 000017
【図１７】
0005942105.tif 000018
【図１８】
0005942105.tif 000019
【図１９】
0005942105.tif 000020
【図２０】
0005942105.tif 000021
【図２１】
0005942105.tif 000022
【図２２】
0005942105.tif 000023
【図２３】
0005942105.tif 000024